(57)【特許請求の範囲】
【請求項１】
中継局とワイヤレス通信する少なくとも１つのユーザ端末を含むマルチホップワイヤレスネットワークにおける帯域幅要求方法であって、
前記ユーザ端末が前記中継局とシングルホップ通信、または他のノードとマルチホップ通信を行うことができるように、前記中継局は前記ネットワーク中の他のノードと通信しており、
前記方法は、
（ａ）マルチホップ通信及びシングルホップ通信の少なくとも一方に関する帯域幅要求で用いる固有信号を割り当て、前記固有信号を前記ユーザ端末に通知するステップと、
（ｂ）前記ユーザ端末が、前記中継局に帯域幅要求を送信して、前記帯域幅要求に前記固有信号を含める、または含めないことにより、シングルホップ通信またはマルチホップ通信を示すステップと、
（ｃ）前記中継局が、前記固有信号の存否に応じて前記帯域幅要求を処理するステップとを有する方法。
【請求項２】
ステップ（ｂ）は、前記ユーザ端末が、前記ネットワーク中に中継局があることを検知して、帯域幅要求がシングルホップ通信のものかマルチホップ通信のものか判断するステップを含む、請求項１に記載の帯域幅要求方法。
【請求項３】
中継局とワイヤレス通信する少なくとも１つのユーザ端末を含むワイヤレス通信システムであって、
前記ユーザ端末が前記中継局とシングルホップ通信、または上位局の監督下でマルチホップ通信を行うことができるように、前記中継局は前記システム中の少なくとも１つの上位局と通信しており、
前記システムは、マルチホップ通信またはシングルホップ通信に関する、帯域幅要求を特定するために用いる固有信号を前記ユーザ端末に通知するよう構成され、
前記ユーザ端末は、前記中継局に、前記帯域幅要求に前記固有信号を含める、または含めないことにより、シングルホップ通信またはマルチホップ通信を求める帯域幅要求を発行するように構成され、
前記中継局は、前記固有信号の存否に応じて、前記上位局に帯域幅要求を発行するか否か決定するように構成されるワイヤレス通信システム。
【請求項４】
マルチホップワイヤレス通信システムにおいて使用する移動局であって、
所望の通信を実行するのに必要な帯域幅を、前記システムから取得する帯域幅要求を生成する帯域幅要求手段を有し、
前記帯域幅要求手段は、前記所望の通信がシングルホップ通信かマルチホップ通信かの表示を、前記帯域幅要求に含めるように構成される移動局。
【請求項５】
中継局とワイヤレス通信する少なくとも１つのユーザ端末と、前記中継局が通信する少なくとも１つの上位局とを含むワイヤレス通信システムで使用される中継局であって、
前記中継局は、前記上位局とは独立に前記ユーザ端末とシングルホップ通信を行う、または前記上位局と共にマルチホップ通信を行うように構成され、
前記中継局は、マルチホップ通信とシングルホップ通信の少なくとも一方に関する帯域幅要求に使用される固有信号を認識するように構成され、前記ユーザ端末から受信した帯域幅要求中の前記固有信号の存否に応じて、前記上位局に帯域幅要求を発行するか否か決定するように構成される中継局。
【請求項６】
ユーザ端末が少なくとも１つの中継局を介して基地局とワイヤレス通信するワイヤレス通信システムにおいて使用する基地局であって、前記ユーザ端末はシングルホップ通信またはマルチホップ通信を行うことができ、
前記基地局は、マルチホップ通信およびシングルホップ通信の少なくとも一方に関する帯域幅要求において前記ユーザ端末が使用する固有信号をアロケートし、前記固有信号を少なくとも前記中継局に通知する基地局。
【請求項７】
シングルホップ通信またはマルチホップ通信を行うことができるユーザ端末が少なくとも１つの中継局を介して基地局とワイヤレス通信するワイヤレス通信システムにおいて使用する監督局であって、
前記監督局は、マルチホップ通信およびシングルホップ通信の少なくとも一方に関する帯域幅要求において前記ユーザ端末が使用する固有信号を割り当て、割り当てた固有信号を少なくとも前記基地局に通知する監督局。
【発明の詳細な説明】
【技術分野】
【０００１】
カバレッジ範囲の拡大及び／またはシステム容量（スループット）の増大の両方が可能であるとして、パケットベースのワイヤレスシステム等においてマルチホップ方式の利用が現在注目を集めている。ここで、シングル「ホップ」は基地局（ＢＳ）及び移動局（ＭＳ）などのワイヤレス通信システムにおける２つのノード間の直接リンクを表し、マルチホップは基地局と移動局よりなる従来のワイヤレス通信システム構成に加えて中継局の使用を含むものである。本発明はマルチホップシステムにおける帯域幅のアロケーションに関する。
【背景技術】
【０００２】
マルチホップ通信システムでは、送信元装置から１つまたはそれ以上の中間装置またはノードを介して送信先装置に至る通信経路またはリンクに沿って通信信号を送信する。図１ａはシングルセル、ツーホップワイヤレス通信システムを示し、基地局ＢＳ１０、中継局ＲＳ３０、及び移動局ＭＳ２０（ユーザ端末（ＵＥ）とも呼ぶ）とを有する。かかるシステムは、マルチホップ構成で移動局及び（固定または移動の）中継局を有し、モバイルマルチホップ中継（ＭＲ）システムと呼ばれる。通信チェーン中にＲＳ３０を含むので、ＢＳ１０は、例えばＢＳからの信号が十分に届かない室内にいる時など、通常のレンジ（range）外のＭＳにもサービスすることができる。簡単のため、図１ａは、ダウンリンクのみ、すなわちＢＳ１０からＲＳ３０を介してＭＳ２０に向かう通信チャネルのみを示している。しかし、実際には、アップリンク（ＭＳからＢＳに向かうチャネル）もある。このアップリンクは必ずしも同じＲＳ３０を介してルート指定（route）される必要はない。ＷｉＭＡＸテクノロジー（ＩＥＥＥ８０２．１６及びその改訂版）などを用いる一部のワイヤレス通信システムでは、ＭＳで終端するＲＳ−ＭＳなどのリンクをアクセスリンクと呼び、この場合、ＲＳをアクセスＲＳとも呼ぶ。一方、ＢＳとＲＳの間のリンクＢＳ−ＲＳを中継リンクと呼ぶ。
【０００３】
ＢＳ１０からＭＳ２０への通信チェーンに２つ以上のＲＳ３０が関与することも可能であり、この場合、中継リンクＲＳ−ＲＳはそのチェーンの各ＲＳ間で定義される。さらに、例えば、異なる中継局から同一のＭＳ２０に同時に２つ以上のアクセスリンクを確立（establish）することも可能である（これは協調中継と呼ばれる）。ユーザデータ（音声呼やビデオストリームなどのユーザに有用なデータ）の通信経路と、（シグナリング目的及びシステムにおけるハウスキーピング用の）制御情報の通信経路は異なってもよい。
【０００４】
勿論、実際には、ＢＳ、ＲＳ及びＭＳが組み合わされて、より大きなシステムを形成し、ユーザの需要と場所（及び他のノードに対するＭＳの位置）の変化に合わせてシステム中のノード（ワイヤレストランシーバユニット）間の通信リンクを連続的に形成及び再形成する。一般的には、各ＲＳ（アクセスＲＳ）３０には複数のＭＳが結合（associated）（すなわち「帰属（attached）」）している。ダウンリンクとアップリンクを介してデータ送信に加えて、システムのノード間では様々な制御信号が交換される。ＢＳは、通常、ワイヤレスで通信できるのに加えて、有線バックボーンネットワークを介して相互に通信している。
【０００５】
図１ａでは、ＲＳ３０はオフィスビル等に設置されば場合のように、固定されていると仮定した。図１ｂはＲＳ３０が例えば車両に設置され可動である、図１ａの構成（scheme）の変形例を示した。この場合、RSはモバイル中継局ＭＲＳ３００と呼ぶ。例えば、バスに設置したＭＲＳ３００はそのＭＲＳとともに動く複数のＭＳ２０にサービスすることができる。中継局をサポートする機能を有することを示すため、ＢＳをＭＲ−ＢＳ１００と改称してもよい。本明細書では、以下、ＢＳという用語はＭＲ−ＢＳと同義語として用いる。また、ＲＳという用語は必要に応じてＭＲＳを含む。例えば、ＲＳ−ＲＳリンクはその片端または両端をＭＲＳで形成できる。モバイルマルチホップ中継はＭＳとＭＲ−ＢＳとの間でユーザデータを中継し、場合によってはＭＲ−ＢＳとＭＳまたはＲＳとの間でＲＳを介して制御情報を中継するコンセプトとして要約することができる。ＭＲＳ３００などのＲＳを含まない直接経路を含め、ＭＲ−ＢＳ１００とＭＳ２０との間で複数の通信経路を確立して、その複数の経路を介して同一のユーザデータ及び／または制御情報を通信して性能を改善することも可能である。
【０００６】
マルチホップシステムにおけるもう一つの問題は、各ＭＳが「relay  aware」かどうか、すなわち、ＢＳと直接ではなくＲＳと通信していることをＭＳが知っているか否かである。明らかに、「relay  aware」システムは移動局により大きな負荷（demand）がかかり、レガシーハードウェアと互換性を有することはありそうもない。現在開発が進められている８０２．１６標準の改訂版には８０２．１６ｊと８０２．１６ｍがある。８０２．１６ｊでは、ＭＳはrelay-awareではなく、すなわちネットワーク中に中継局があることを知らない。対照的に、８０２．１６ｍでは、ＭＳはＲＳと通信していることを知っており、自分の振る舞いを適宜適合させることができるものと仮定されている。本発明は、かかる「relay  aware」システムに最も容易に適用することができる。８０２．１６ｍは８０２．１６ｊと同じ原理と方法を多数利用すると予想されるので、以下の説明では８０２．１６ｊですでに提案されている様々な機能を参照する。
【０００７】
ＩＥＥＥ８０２．１６ベースのシステムでは、データはフレーム単位で送信され、フレームは同時（ＦＤＤ）または連続（ＴＤＤまたはＨ−ＦＤＤ）のダウンリンク（ＤＬ）サブフレームとアップリンク（ＵＬ）サブフレームに分割される。各ＤＬサブフレームは、始めにプリアンブルがあり、フレームコントロールヘッダ（ＦＣＨ）、及び後続のフレーム構造を示すＤＬ−ＭＡＰ及びＵＬ−ＭＡＰが続く。また、ダウンリンクチャネル記述子ＤＣＤとアップリンクチャネル記述子ＵＣＤを定期的に送信して、利用するバーストプロファイル（変調及びエラー訂正方式）を示す。
【０００８】
図２は、中継局のアプリケーションを示す図である。固定インフラストラクチャの場合、中継局が提供するカバレッジは、移動局が物の影に入ってしまったり、基地局のカバレッジ範囲内にいるが基地局から十分な信号強度を得られないときに、通信ネットワークにアクセスさせる「インフィル（in-fill）」であってもよい。これは、図２ａと２ｂの上半分に示した。移動局が基地局の通常のデータ送信範囲外にいるときにアクセスさせる「範囲拡大」も示されている。図２ｂの上半分に示したインフィルの例は、地上レベルまたはその上下におけるビル内のカバレッジを可能とするノーマディック中継局の配置である。逆に、アップリンクで中継局用いて、ＭＳからの低パワー送信をピックアップして、ＢＳに送ることもできる。このように、ＢＳがサービスするセルのサイズが実質的に大きくなる。ＢＳ及びそれに結合したすべて中継局のカバレッジ領域をＭＲセルと呼ぶ。
【０００９】
図２ａに示したように、その他のアプリケーションは、イベントや緊急時・災害時にアクセスを提供する一時的カバー（temporary  cover）を発揮するノーマディック中継局である。かかるノーマディックＲＳは、通常、短期の時間スケールでは動かないので、制御の点では固定されているものと考える。
【００１０】
図６の下半分に示したアプリケーションは、車両に載せたＭＲＳを用いてネットワークへのアクセスを提供する。バスや列車などの可動車両とともに移動しているＭＳデバイスにカバレッジを提供することができる。ＭＲＳは、車両上に搭載され、モバイル中継リンクを介してＭＲ−ＢＳまたは他のＲＳに接続する。ＭＲＳはプラットフォーム上のＭＳ／ＳＳデバイスへのアクセスリンクを提供する。これはインフィル（in-fill）の他の例である。各ＭＳは、車両がＭＲ−ＢＳまたはＲＳのカバレッジ範囲内にあっても、車両内では十分な信号強度を受けられないからである。ＭＲＳは、ＭＲ−ＢＳ／ＲＳから信号を受信し、車両内の移動局と同時に通信することができる。
かかるネットワークにおけるユーザのニーズが変化するにつれて、例えば、新しいまたは追加のサービスを要求し、受信及び送信されるデータ量及び帯域幅に対する要求も変化する。図１及び図２に示したタイプのシステムでは、帯域幅要求は、最初にＭＳからＲＳへの方向であり、次にＲＳからＭＲ−ＢＳの方向である。ここで、ＭＲ−ＢＳ（または場合によってはＲＳ）は、その時ユーザに提供しているサービスを考慮して、ダウンリンクの帯域幅のアロケーションを自分で決定するので、要求は一般的にはアップリンク帯域幅に対するものである。
【００１１】
帯域幅要求に関する説明を簡単にするため、システム中の「下位（subordinate）」局及び「上位（super-ordinate）」局を考えると役に立つ。ここで、「上位」との用語は「高位（higher）」または「アップストリーム」ノードを指す（ここで、「ダウンストリーム」は通常ＭＳに向かう方向である）。逆に、「下位」とは、「低位（lower）」ノードであり、すなわち他のノードの「ダウンストリーム」のノードである。ＭＳまたはＲＳはＭＲ−ＢＳの下位局であり、ＭＲ−ＢＳはＭＳまたはＲＳの上位局でもある。替わって、ＲＳはＭＳに対して上位局である。ツーホップより多いリンクでは、一ＲＳが他のＲＳの上位局となる。
【００１２】
ワイヤレス中継システムでは、下位局が上位局から帯域幅を取得する方法がいくつかあり、整理すると次のようになる：
専用帯域幅：最初にネットワークエントリー手順で下位局がネットワークに帰属すると、システムは専用帯域幅をその局に自動的にアロケートする。この段階では、明示的な帯域幅要求はない。専用帯域幅を調節する必要があるとき、帯域幅アロケーションをトリガーする方式（schemes）は２つある。一方は、ＭＲ−ＢＳ（またはＲＳ）がその下位局からの他の関連メッセージをモニターするものであり、他方は、ＭＳ（またはＲＳ）が帯域幅要求ヘッダを送信することにより帯域幅（下記参照）を明示的に要求するものである。前者の場合、システム（より具体的には上位ＭＲ−ＢＳ）は、関連メッセージから有用情報を抽出し、その時の専用帯域幅を適宜再アロケートする。
【００１３】
帯域幅要求ヘッダ：上位局は、ダウンストリームノード（例えばＭＳ）により発行される４８ビット長のヘッダにより、ダウンストリームノードにより要求される帯域幅の大きさを知ることができる。このヘッダには明示的な（追加的または集計的のいずれか）帯域幅数があるからである。場合によっては、アロケーション期間（アロケーションの有効時間）も含まれる。また、上位局は、帯域幅が要求されている接続を、帯域幅要求ヘッダに含まれる接続ＩＤ（connection  ID;ＣＩＤ）により特定できる。
【００１４】
帯域幅要求メッセージ：通常、メッセージ長は固定ではない。場合によって、メッセージが担う情報は異なる。システムはそれをモニターして、要求された帯域幅を特定する。
【００１５】
ＣＤＭＡ帯域幅要求：下位ノードは、特別なＣＤＭＡレンジングコード（ranging  code）サブセットから一ＣＤＭＡレンジングコードを選択し、このコードをアップリンクフレームの特別領域で送信する必要がある。上位ノードがこのコードを正しく受信すると、下位ノードが帯域幅要求ヘッダ（上記参照）を送信できる要求機会を提供するのに十分な固定された少量の帯域幅をアロケートする。下位ノードは、この帯域幅により自分の決定で他のメッセージ／ヘッダまたはデータを送信できる。
【００１６】
ＢＷ要求手順の詳細は、ＭＳがrelay-awareかどうかによって変わる。今のところ、移動局はrelay-awareではない８０２．１６ｊシステムを考える。
【００１７】
ＩＥＥＥ８０２．１６ｊシステムには２つのスケジューリングモードがある：
分散スケジューリングモード：ＭＲ−ＢＳ及びＭＲセル中の（ＭＲーＢＳからの情報の有するまたは有しない）各ＲＳが帯域幅アロケーションを決定して、下位ＭＳとの間のアクセスリンク、及び／またはその下位ＲＳとの間の中継リンクの対応ＭＡＰを生成する。
【００１８】
集中スケジューリングモード：ＭＲ−ＢＳがセル中の各ＲＳの能動的な関与（participation）が無しに帯域幅アロケーションを決定し、ＭＲセル中のすべてのアクセスリンク及び中継リンクの対応ＭＡＰを生成する（またはＲＳが使用する情報を取得してそのＭＡＰを生成する）マルチホップ中継に適用可能な動作モードである。
【００１９】
中継局は、ＤＬフレーム開始プリアンブル、ＦＣＨ、ＭＡＰメッセージ及びチャネル記述子（ＤＣＤ／ＵＣＤ）メッセージを送信できるかどうかにより、トランスパレント（transparent）または非トランスパレント（non-transparent）に分類できる。非トランスパレントＲＳはこの情報を送信でき、トランスパレントＲＳは送信しない。その結果、非トランスパレントRSは集中スケジューリングモードでも分散スケジューリングモードでも動作可能であるが、トランスパレントRSは集中スケジューリングモードでのみ動作可能である。
【００２０】
分散スケジューリングモードでは、中継リンクにおいて、コンテンションベース（contention-based）ＣＤＭＡ帯域幅要求プロセスとそれに関連するレンジングコードはアクセスリンクで使用されるものと同じであり得る。あるいは、ＩＥＥＥ８０２．１６ｊシステムにおける帯域幅要求・アロケーション手順を速くするために、中継リンクにおける分散スケジューリングを修正してもよい。ＭＲ−ＢＳは、上位局に帯域幅を要求する目的で、ＭＲセルの各ＲＳに一意的なＲＳ  ＣＤＭＡレンジングコードを割り当ててもよい。ＲＳは、ダウンストリーム局から帯域幅要求ＣＤＭＡレンジングコードを受信するとすぐに、ユーザデータのパケット（actual  packets）が到着するのを待たずに、帯域幅要求ＣＤＭＡレンジングコードを送信することにより、中継トラフィックのレイテンシーを低減できる。
【００２１】
ＩＥＥＥ８０２．１６ｊシステムでは、２つの異なるスケジューリングモードだけでなく、２つの異なるセキュリティモードも規定される。集中セキュリティモードは、ＭＲ−ＢＳとＭＳとの間の鍵管理に基づく。分散セキュリティモードは、ＭＲ−ＢＳとアクセスＲＳとの間、及びアクセスＲＳとＭＳとの間の鍵管理を含む（incorporate）。下位ノードと上位ノードとの間の共有セキュリティ情報は、トラフィック暗号化鍵（ＴＥＫ；Traffic  Encryption  Keys）を含む「セキュリティアソシエーション（ＳＡ）」を形成する。
【００２２】
アクセスアップリンクにおいてのみ送信できるメッセージがある。例えば、ＩＥＥＥ８０２．１６ｊシステムシステムの分散スケジューリングモードでは、アクセスＲＳとＭＳとの間でいわゆるＳＡ−ＴＥＫ三方向ハンドシェーク手順を行うことができる。かかる場合、ＭＳがＣＤＭＡレンジングコードを送信することにより帯域幅を求める必要がある場合、従来のＣＤＭＡコードを受信するアクセスＲＳは、ＭＳが要求する帯域幅がマルチホップリンクのものなのか、シングルホップリンクのものなのか判断できない。かかる場合、アクセスＲＳは以下の方法の一つでＣＤＭＡ帯域幅要求に応答できる：
（１）アクセスＲＳはＭＳから実際のデータパケットが到着するのを待ち、上位ノードにアップリンク帯域幅を要求する；または
（２）（上記の図３に示したように）アクセスＲＳは、ＭＳからの実際のパケットが到着し始めてから、ＭＲ−ＢＳに帯域幅要求ＣＤＭＡレンジングコードを送信する。
【００２３】
しかし、ＭＳはマルチホップリンク帯域幅を求める場合、方法（１）によるとレイテンシーが長くなる。一方、ＭＳがシングルホップリンク帯域幅を求める場合、方法（２）によると不必要な帯域幅要求がなされ、アクセスＲＳのアップリンクに無駄な帯域幅アロケーションがなされる（図４参照）。そのため、これら２つの方法はいずれもレイテンシーの要件と帯域幅利用効率の要件を同時には満たさない。
【発明の概要】
【００２４】
本発明の第１の態様によるスペクトル割り当て方法は、中継局とワイヤレス通信する少なくとも１つのユーザ端末を含むマルチホップワイヤレスネットワークにおける帯域幅要求方法であって、前記ユーザ端末が前記中継局とシングルホップ通信、または他のノードとマルチホップ通信を行うことができるように、前記中継局は前記ネットワーク中の他のノードと通信しており、前記方法は、（ａ）マルチホップ通信及びシングルホップ通信の少なくとも一方に関する帯域幅要求で用いる固有信号を前記ユーザ端末に割り当て、前記固有信号を前記ユーザ端末に通知するステップと、（ｂ）前記ユーザ端末が、前記中継局に帯域幅要求を送信して、前記帯域幅要求に前記固有信号を含める、または含めないことにより、シングルホップ通信またはマルチホップ通信を示すステップと、（ｃ）前記中継局が、前記固有信号の存否に応じて前記帯域幅要求を処理するステップとを有する。
【００２５】
上記方法において、好ましくは、ステップ（ｂ）は、前記ユーザ端末が、前記ネットワーク中に中継局があることを検知して、帯域幅要求がシングルホップ通信のものかマルチホップ通信のものか判断するステップを含む。
【００２６】
また、好ましくは、前記ステップ（ｃ）は、前記固有信号の存否がマルチホップ通信を示すとき、前記中継局が、上位局から帯域幅を取得する帯域幅要求を送信するステップを含む。
【００２７】
さらに好ましい特徴として、ステップ（ａ）は、前記上位局が前記固有信号を前記中継局に通知するステップをさらに含む。
【００２８】
上記の固有信号はユーザ端末に対応する一意的信号であり得る。固有信号は、シングルホップ帯域幅要求用の第１の一意的信号であり、及び／またはマルチホップ帯域幅要求用の第２の一意的信号であり得る。あるいは、前記固有信号は、複数のユーザ端末が共通に利用できる信号のセットを含み得る。
【００２９】
好ましくは、ステップ（ａ）は、前記ユーザ端末のエントリー手順中に前記ユーザ端末に前記固有信号を通知するステップを含む、固有信号のセットを使用する場合、ステップ（ａ）は複数のユーザ端末のすべてに前記固有信号のセットを通知するステップを含み得る。
【００３０】
かかる通知は、中継局がユーザ端末に固有信号を通知することを含んでもよい。一方、システムが、ユーザ端末とワイヤレス通信する基地局をさらに含む場合、ステップ（ａ）は、基地局が固有信号をユーザ端末に通知することを含んでもよい。
【００３１】
また、ステップ（ｂ）は、前記ユーザ端末がレンジングコードを送信するステップを含み、前記固有信号は前記レンジングコード自体により構成されてもよい。あるいは、ステップ（ｂ）は、前記ユーザ端末が帯域幅要求ヘッダを送信するステップを含み、前記固有信号は前記帯域幅要求ヘッダにより構成されてもよい。
【００３２】
後者の例として、固有信号は帯域幅要求ヘッダに含まれた接続識別子を含んでも良い。このように、ユーザ端末は、シングルホップ通信及び／またはマルチホップ通信用に異なる接続識別子を割り当てることができる。あるいは、接続識別子の少なくとも２つのサブセットが割り当てられた複数のユーザ端末があり、サブセットごとにシングルホップ通信またはマルチホップ通信に予約されていてもよい。
【００３３】
上記のどの方法においても、ユーザ端末は好ましくは移動局であり、例えばネットワークはＩＥＥＥ８０２．１６ｍネットワークである。
【００３４】
本発明の第２の態様によるスペクトル割り当てシステムは、中継局とワイヤレス通信する少なくとも１つのユーザ端末を含むワイヤレス通信システムであって、前記ユーザ端末が前記中継局とシングルホップ通信、または上位局の監督下でマルチホップ通信を行うことができるように、前記中継局は前記システム中の少なくとも１つの上位局と通信しており、前記システムは、マルチホップ通信またはシングルホップ通信に関する、帯域幅要求を特定するために用いる固有信号を前記ユーザ端末に通知するよう構成され、前記ユーザ端末は、前記中継局に、前記帯域幅要求に前記固有信号を含める、または含めないことにより、シングルホップ通信またはマルチホップ通信を求める帯域幅要求を発行するように構成され、前記中継局は、前記固有信号の存否に応じて、前記上位局に帯域幅要求を発行するか否か決定するように構成されるワイヤレス通信システム。
【００３５】
上記システムにおいて、好ましくは、上位局は前記固有信号を中継局に通知するように構成される。
【００３６】
固有信号は、シングルホップ帯域幅要求用の第１の一意的信号であり、及び／またはマルチホップ帯域幅要求用の第２の一意的信号であり得る。前記固有信号は、複数のユーザ端末が共通に利用できる信号のセットを含み得る。
【００３７】
本発明の一実施形態では、システムはＩＥＥＥ８０２．１６ベースのシステムである。この場合、固有信号はＣＤＭＡコードを含み得る。また、固有信号は帯域幅要求ヘッダに含まれるＣＩＤを含み得る。
【００３８】
上記システムにおいて、好ましくは、ユーザ端末は、中継局があることを認識し、この認識を用いて、帯域幅要求がシングルホップ通信か、またはマルチホップ通信かどうか判断するように構成される。
【００３９】
本発明の第３の態様による移動局は、マルチホップワイヤレス通信システムにおいて使用する移動局であって、所望の通信を実行するのに必要な帯域幅を、前記システムから取得する帯域幅要求を生成する帯域幅要求手段を有し、前記帯域幅要求手段は、前記所望の通信がシングルホップ通信かマルチホップ通信かの表示を、前記帯域幅要求に含めるように構成される。
【００４０】
この移動局では、好ましくは、帯域幅要求手段は、シングルホップまたはマルチホップ通信のために予約したレンジングコードを指定することにより、前記表示を含めるように構成される。より具体的には、帯域幅要求手段は、シングルホップまたはマルチホップ通信のために予約した接続識別子を指定することにより、前記表示を含めるように構成されてもよい。
【００４１】
移動局は、好ましくは、システム中に中継局があることを検知して、所望の通信がシングルホップであるかマルチホップであるか判断するようにさらに構成される。
【００４２】
本発明の第４の態様による中継局は、中継局とワイヤレス通信する少なくとも１つのユーザ端末と、前記中継局が通信する少なくとも１つの上位局とを含むワイヤレス通信システムで使用される中継局であって、前記中継局は、前記上位局とは独立に前記ユーザ端末とシングルホップ通信を行う、または前記上位局と共にマルチホップ通信を行うように構成され、前記中継局は、マルチホップ通信とシングルホップ通信の少なくとも一方に関する帯域幅要求に使用される固有信号を認識するように構成され、前記ユーザ端末から受信した帯域幅要求中の前記固有信号の存否に応じて、前記上位局に帯域幅要求を発行するか否か決定するように構成される中継局。好ましくは、中継局は、ＭＲ−ＢＳなどの上位局から固有信号の事前通知を受信する。中継局または上位局は、使用する固有信号をユーザ端末に通知してもよい。
【００４３】
好ましくは、中継局は、上位局から、固有信号の事前通知を受信するようにさらに構成されている。
【００４４】
さらに、中継局は、ユーザ端末と中継局の間で行われるエントリー手順の際に、前記固有信号をユーザ端末に通知するように構成される。中継局とユーザ端末との間の各接続には接続ＩＤが与えられ、中継局は、シングルホップ及びマルチホップ通信でそれぞれ使用する異なる接続ＩＤを、同じユーザ端末に割り当てるように構成される。
【００４５】
このように、本発明の態様により、帯域幅要求方法、ワイヤレス通信システム、移動局、及び中継局が提供される。その他の態様として、ワイヤレス通信システムの基地局と（ゲートウェイなどの）監督要素が提供される。本発明は、ワイヤレス通信システムのトランシーバユニットに、本発明の移動局または中継局として機能させるコンピュータソフトウェアも含む。
【図面の簡単な説明】
【００４６】
添付した図面を参照して、例示により、本発明の好ましい特徴をここに説明する。
【図１ａ】中継局ＲＳを有するツーホップワイヤレス通信システムを示す図である。
【図１ｂ】モバイル中継局ＭＲＳを有するツーホップワイヤレス通信システムを示す図である。
【図２ａ】中継局のアプリケーションを示す図である。
【図２ｂ】中継局のアプリケーションを示す図である。
【図３】中継トラフィックのレイテンシーを低減する一方法を示す図である。
【図４】図３の方法の結果生じる不必要な帯域幅要求・アロケーションの問題を示す図である。
【図５】本発明の原理を示す概念的なフローチャートである。
【図６】アクセスリンクに対して本発明を化体した帯域幅要求・アロケーション方法を示すフローチャートである。
【図７】ＣＤＭＡコードを用いる、本発明を化体した方法の第１の実施例を示すフローチャートである。
【図８】帯域幅要求ヘッダを用いる、本発明を化体した方法の第２の実施例を示すフローチャートである。
【発明を実施するための形態】
【００４７】
ここでＷｉＭＡＸシステムを一例として取り上げて、本発明の一実施形態を説明する。様々なＷｉＭＡＸ標準が提案されたか、現在開発中である。ＩＥＥＥ８０２．１６ｄは、固定加入者局（ＳＳ）を主に想定したものである。ＩＥＥＥ８０２．１６ｅは移動局を許容する標準であり、ＩＥＥＥ８０２．１６ｊはそれをさらに高度化したものであり、現在開発中である。ＩＥＥＥ８０２．１６ｊは、ＭＳの使用を変更することなく、中継局を８０２．１６ｅタイプシステムに含むことを許容する。一方、ＩＥＥＥ８０２．１６ｍは、なかんずく、移動局の仕様を変更して「relay-aware」にした、すなわちBSと直接ではなくRSと通信していることを検知できるようにした、さらに別の改訂版（variation）である。ＩＥＥＥ標準８０２．１６−２００４「Air  Interface  for  Fixed  Broadband  Wireless  Access  Systems」とＩＥＥＥ８０２．１６ｅ−２００５「Amendment  2  and  Corrigendum  1  to  IEEE  Std  802.16-2004」の全内容は、ここに参照援用する。ここで説明する実施形態は、提案されている８０２．１６ｍシステムに特に関係がある。８０２．１６ｍは、技術的な面はまだ固まっていないが、上記の標準で設定されたのと同じ原理と方法を多く利用している。
【００４８】
要するに、本発明は、帯域幅要求のレイテンシーを低減でき、マルチホップ中継が可能なネットワークにおける中継リンク（ＢＳ−ＲＳ）の帯域幅利用効率を改善する新しい帯域幅要求方法を提案する。一中継システムでは、アクセスアップリンク（ＭＳからＲＳ）だけで送信されるメッセージがあり、他のメッセージは複数ホップ（multiple  hops）（アクセスアップリンク（ＭＳ−ＲＳ）及び中継アップリンク（ＲＳ−ＢＳ））を介して送信される。送信される制御メッセージのタイプに応じて、ＭＳは、適切な帯域幅要求信号を選択してアクセスＲＳに帯域幅を要求する。一方、ＲＳは、帯域幅要求信号を受信した時、及び帯域幅要求信号のタイプ及び／またはコンテンツに基づき、その上位局に帯域幅を要求するか決定することができる。効果として、中継リンクにおいて不必要な帯域幅アロケーションを回避することにより、中継リンク利用効率を改善できる。
【００４９】
すでに説明した通り、問題は、今日までに提案されているＢＷ要求手順にあり、ＲＳが、帰属する（attached）MSからＢＷ要求を受信すると、帯域幅をアップストリームノードに要求する必要があるか判断するまで、レイテンシーが大きくなっても待つか、または（シングルホップの場合）帯域幅が無駄になるリスクがあっても待たずにかかる要求をするか、という点にある。ＩＥＥＥ８０２．１６ｍなどの「relay-aware」システムの導入が規定されているが、シングルホップとマルチホップの場合を区別できる、ＭＳとそのＲＳとの間の帯域幅要求手順を提供することが望ましい。
【００５０】
上記の問題を解決するため、中継システムにおいて、本発明の実施形態では、シングルホップ帯域幅要求及び／またはマルチホップ帯域幅要求のための固有信号（specific  signal）をＭＳにアロケートするだけである。アクセスＲＳはかかる固有信号についての情報（knowledge）を有するが、それは一般的にはＭＲ−ＢＳなどの上位局から事前通知を受信することによる。アクセスＲＳは、かかる信号を受信すると、上位ノードに帯域幅を要求（ask）するかどうかすぐに決定できる。本方法は２つの段階で実施することができる：
ａ）システム設定（configuration）：中継システムは、アクセス及び／またはマルチホップアップリンク帯域幅を要求する固有帯域幅要求信号（specific  bandwidth  request  signal）をＭＳにアロケートする。これには、通常、ＭＳとアクセスＲＳの両方に、アロケートされた信号を通知することを含む。
【００５１】
ｂ）アクセスリンクの帯域幅要求：ＭＳは、アクセスアップリンク帯域幅を要求する必要があるとき、かかる信号を送信してＲＳにアクセスすることができる。アクセスＲＳは、受信した信号のタイプ及び／または内容に基づき、上位ノードに帯域幅を要求する必要があるかどうか判断できる。
【００５２】
新しい帯域幅要求方法の詳細な手順は、２つの段階に分かれる（図５参照）：
ａ）システム設定：
ｂ）必要であれば、アクセスリンクまたはマルチホップリンクの帯域幅要求
これらの２つの段階の実施は、例えば次の通りである。
【００５３】
段階ａ）システム設定
ステップ１：ワイヤレス中継システムは、シングル及び／またはマルチホップ帯域幅要求にのみ使用する少なくとも１つの固有帯域幅要求信号を構成する。これを実施するため、各ＭＳは、シングルまたはマルチホップ帯域幅要求のために予約された一意的信号を割当られ、またはＭＳはシングルホップ及びマルチホップ帯域幅要求用のいくつかの信号を並行して割当られる。あるいは、多数のＭＳが、シングルまたはマルチホップ帯域幅要求用の帯域幅要求信号のサブセットを共有することができる。
【００５４】
ステップ２：シングル及び／またはマルチホップ帯域幅要求用の帯域幅要求信号を特定のＭＳに割り当てる。各ＭＳにシングルまたはマルチホップ帯域幅の一意的帯域幅要求信号、またはシングル及びマルチホップ帯域幅の信号が割り当てられる場合、かかる信号は、ネットワークエントリー手順の間に割り当てられ、特にイニシャルレンジングプロセス（initial  ranging  process）またはＭＳがかかる帯域幅要求信号を使用する必要がある前の段階で割り当てられる。多数のＭＳが信号サブセットを共有する場合、最初のネットワークエントリー手順の際に、またはＭＳが帯域幅を要求する必要がある前の任意の段階で、かかるサブセットをＭＳに示すことができる。
【００５５】
上記から、一意的な信号（固有信号）の割り当ては、個々のＭＳへのかかる信号のアロケートとは区別される。一意的信号の割り当ては、例えば監督局（ゲートウェイ）がシステム中の全ＭＲ−ＢＳを制御することにより、システムレベルで行われてもよい。固有信号（specific  signal）のアロケーションは、ＭＳとそのアクセスＲＳとの間で行われるエントリー手順などの際に、アクセスネットワークレベルで行っても良い。或いは、ＭＲ−ＢＳは、直接的にまたはその他の方法でアロケートされた信号をＭＳに通知してもよい。
【００５６】
段階ｂ）アクセスリンクまたはマルチホップリンクの帯域幅要求（図６参照）
ステップ１：ＭＳは、アクセスＲＳに帯域幅を要求するとき、要求された帯域幅タイプに基づき、すなわち、マルチホップ経路またはシングルホップ経路の帯域幅に基づき、帯域幅を要求する別の帯域幅要求信号を送信してもよい。
【００５７】
ステップ２：アクセスＲＳは、帯域幅要求信号を受信すると、ＭＳに（アップリンクのＭＳからＲＳへの）帯域幅をアロケートする。同時に、アクセスＲＳは、帯域幅要求信号のタイプ及び／または内容に基づき、上位ノードから帯域幅を要求するかどうか決定できる。
ここで上記の原理の実施例または実施形態を２つ説明する。
【実施例１】
【００５８】
ここでは、帯域幅要求信号がＣＤＭＡコードであり、上記の帯域幅要求の一タイプである。
【００５９】
段階ａ）システム設定
ステップ１：ワイヤレス中継システムは、シングルホップ帯域幅要求にのみ利用されるＣＤＭＡコードを取っておく。これを実施するために、各ＭＳに一意的なコードを割り当て、すなわち多数の移動局がシングルホップ帯域幅要求用のＣＤＭＡコードサブセットを共有する。
【００６０】
ステップ２：個々のＭＳにシングルホップ帯域幅用のＣＤＭＡコードをアロケートする。各ＭＳに一意的なＣＤＭＡコードを割り当てる場合、ネットワークエントリー手順、特に最初のプロセス（initial  process）中に、かかるコードを割り当てることができる。多数のＭＳがコードサブセットを共有する場合、かかるサブセットを最初のネットワークエントリー手順の際にＭＳに示さなければならない。前者の場合、少なくともアクセスＲＳはその下位ＭＳに割り当てられたＣＤＭＡコードを知らなければならない。後者の場合、すべてのＭＳとアクセスＲＳが割り当てを知らなければならない。
【００６１】
段階ｂ）アクセスリンクの帯域幅要求（図７参照）
ステップ１：ＭＳは、アクセスＲＳに帯域幅を要求するとき、要求された帯域幅タイプに基づき、すなわち、マルチホップ経路かまたはシングルホップ経路かに基づき、帯域幅を要求する別のＣＤＭＡコードを送信する。
【００６２】
ステップ２：アクセスＲＳは、ＣＤＭＡコードを受信すると、ＭＳにその帯域幅をアロケートする。同時に、アクセスＲＳは、ＣＤＭＡコードタイプに基づき、上位ノードに帯域幅を要求するかどうか決定できる。
【００６３】
ステップ３：マルチホップリンクでは、アクセスＲＳは、マルチホップリンク帯域幅が必要であれば、自分で上位ノード（例えば、ＭＲ−ＢＳ）に帯域幅要求を発行する。
【実施例２】
【００６４】
ここで、帯域幅要求信号は帯域幅要求ヘッダである。このタイプの帯域幅要求は、すでに概要を説明したように、原理的には知られている。
【００６５】
段階ａ）システム設定
ステップ１：ワイヤレス中継システムは、シングルホップリンクに排他的に利用するシングルＣＩＤ（接続ＩＤ）を予約する。
【００６６】
ステップ２：システムは、（通常はＭＲ−ＢＳにより）シングルＣＩＤをＭＳにアロケートする。各ＭＳに一意的なＣＩＤを割り当てる場合、ネットワークエントリー手順、特に最初のプロセス（initial  process）中に、かかるＣＩＤを割り当てることができる。多数のＭＳがシングルＣＩＤサブセットを共有する場合、かかるサブセットを最初のネットワークエントリー手順の際にＭＳに示さなければならない。前者の場合、少なくともアクセスＲＳはその下位ＭＳに割り当てられたシングルＣＩＤを知らなければならない。後者の場合、すべてのＭＳとアクセスＲＳがその割り当てを知らなければならない。
【００６７】
段階ｂ）アクセスリンクの帯域幅要求（図８参照）
ステップ１：ＭＳは、アクセスＲＳに帯域幅を要求するとき、要求する帯域幅タイプに基づき、すなわち、マルチホップ経路かまたはシングルホップ経路かに基づき、帯域幅を要求する別のＣＩＤを含む帯域幅ヘッダを送信する。
【００６８】
ステップ２：  アクセスＲＳは、帯域幅要求ヘッダを受信すると、ＭＳに帯域幅をアロケートする。同時に、アクセスＲＳは、帯域幅ヘッダに含まれるＣＩＤタイプに基づき、上位ノードに帯域幅を要求するかどうか決定できる。
【００６９】
ステップ３：マルチホップリンクの場合、アクセスＲＳは、マルチホップリンク帯域幅が必要な時、その帯域幅をさらに要求する。
【００７０】
以上、移動局を例として説明したが、本発明は、ユーザ端末（ＵＥ）に利用することも可能であり、そのユーザ端末が固定されていてもよい。
【００７１】
このように、本発明の一実施形態によるワイヤレス通信システムは、中継局（アクセスＲＳ）とワイヤレス通信する少なくとも１つのユーザ端末（ＭＳ）を含むワイヤレス通信システムであって、前記ユーザ端末が前記アクセス中継局とシングルホップ通信、またはアクセス中継局の上位局またはＢＳとマルチホップ通信を行うことができるように、前記中継局は、基地局（ＭＲ−ＢＳ）など前記システム中の少なくとも１つの上位局と通信する。システムは、マルチホップ及び／またはシングルホップ通信の帯域幅要求で使用する少なくとも１つの固有信号（specific  signal）を割り当て、または予約する。中継局は、好ましくは、例えば、ネットワークエントリー手順の際に、この信号を事前にユーザ端末に通知するように構成される。この固有信号は、特定の（specific）ＣＤＭＡコード（またはコードのセット）、またはシングルホップまたはマルチホップのいずれかのために予約された相異なるＣＩＤであり得る。次に、ユーザ端末は、帯域幅が必要なとき、前記中継局に、前記帯域幅要求に前記固有信号を含める、または含めないことにより、シングルホップ通信またはマルチホップ通信を示す帯域幅要求を発行する。前記中継局は、前記固有信号の存否に基づき、前記上位局に自分の帯域幅要求を発行するか否か決定する。このように、上位局において不必要に帯域幅をアロケーションせずに、帯域幅要求のレイテンシーを低減する。つまり、本発明により、ワンホップをマルチホップ帯域幅要求と区別しない場合と比較して、帯域幅利用効率を改善できる。
【００７２】
上記では、シングルホップリンクの少なくとも１つの固有コードまたは信号を割り当てまたは予約することを説明した。これは、マルチホップリンクがシングルホップリンクより一般的なシステムでは最も効率的な方法かも知れない。しかし、場合によっては、特別なコード・信号をマルチホップに割り当ててもよい。前記の特別なコード・信号のシングルホップ及びマルチホップ帯域幅要求から１タイプのみを区別すれば十分である。この場合、他のタイプは帯域幅要求に特別なコード・信号が無いことにより示す。あるいは、シングルホップとマルチホップの両方に異なるコード・信号を設け、帯域幅要求に他のコード・信号があることにより、積極的に両方のタイプを特定してもよい。
【００７３】
提案した発明は、移動局が、ネットワークに中継局があることを知っているシステムに好適である。今のところ、現在開発中の標準において、ＩＥＥＥ８０２．１６ｍシステムがこれに含まれる。
【００７４】
本発明を化体する手順または方法を説明したが、当業者には、移動局、中継局及び基地局を含むワイヤレス通信システムの要素により本手順を実行することが明らかであろう。  本発明の実施形態は、ハードウェアで実施してもよいし、１つ以上のプロセッサ上で動作するソフトウェアモジュールとして実施してもよいし、これらの組み合わせとして実施してもよい。すなわち、実際にはマイクロプロセッサまたはデジタルシグナルプロセッサ（ＤＳＰ）を用いて本発明を化体する中継局の機能の一部または全部を実施してもよい。本発明はここに開示した方法の一部または全部を実行するデバイスまたは装置のプログラム（例えば、コンピュータプログラム及びコンピュータプログラム製品）として化体してもよい。本発明を化体するかかるプログラムは、コンピュータ読み取り可能媒体に格納したものでもよく、例えば信号の形態であってもよい。かかる信号はインターネットのウェブサイトからダウンロード可能なデータ信号であっても、キャリア信号上の信号であっても、その他の形態であってもよい。当業者には言うまでもないが、場合によっては、利用可能なＭＳ／ＵＥが他のＭＳ／ＵＥとの間でデータを中継する機能を有していれば、ワイヤレス通信システムの移動中継局はシステム中のＭＳ／ＵＥにより構成され得る。このように、本発明を化体するプログラムを使って、好適なハードウェアを有する移動局または他のユーザ装置にＲＳの機能を付加してもよい。
【００７５】
実施例も含む以上の実施形態について、さらに以下の付記を記す。
（付記１）  中継局とワイヤレス通信する少なくとも１つのユーザ端末を含むマルチホップワイヤレスネットワークにおける帯域幅要求方法であって、
前記ユーザ端末が前記中継局とシングルホップ通信、または他のノードとマルチホップ通信を行うことができるように、前記中継局は前記ネットワーク中の他のノードと通信しており、
前記方法は、
（ａ）マルチホップ通信及びシングルホップ通信の少なくとも一方に関する帯域幅要求で用いる固有信号を割り当て、前記固有信号を前記ユーザ端末に通知するステップと、
（ｂ）前記ユーザ端末が、前記中継局に帯域幅要求を送信して、前記帯域幅要求に前記固有信号を含める、または含めないことにより、シングルホップ通信またはマルチホップ通信を示すステップと、
（ｃ）前記中継局が、前記固有信号の存否に応じて前記帯域幅要求を処理するステップとを有する方法。
（付記２）  ステップ（ｂ）は、前記ユーザ端末が、前記ネットワーク中に中継局があることを検知して、帯域幅要求がシングルホップ通信のものかマルチホップ通信のものか判断するステップを含む、付記１に記載の帯域幅要求方法。
（付記３）  前記ステップ（ｃ）は、前記固有信号の存否がマルチホップ通信を示すとき、前記中継局が、上位局から帯域幅を取得する帯域幅要求を送信するステップを含む、付記１に記載の帯域幅要求方法。
（付記４）  ステップ（ａ）は、前記上位局が前記固有信号を前記中継局に通知するステップをさらに含む、付記３に記載の帯域幅要求方法。
（付記５）  前記固有信号は、シングルホップ帯域幅要求用の第１の一意的信号、及び／またはマルチホップ帯域幅要求用の第２の一意的信号であって、各一意的信号が前記ユーザ端末に対応するものを含む、付記１に記載の帯域幅要求方法。
（付記６）  前記固有信号は、複数のユーザ端末が共通に利用できる信号のセットを含む、付記１に記載の帯域幅要求方法。
（付記７）  ステップ（ａ）は、前記ユーザ端末のエントリー手順中に前記ユーザ端末に前記固有信号を通知するステップを含む、付記１に記載の帯域幅要求方法。
（付記８）  ステップ（ｂ）は、前記ユーザ端末がレンジングコードを送信するステップを含み、前記固有信号は前記レンジングコードにより構成される、付記１に記載の帯域幅要求方法。
（付記９）  ステップ（ｂ）は、前記ユーザ端末が帯域幅要求ヘッダを送信するステップを含み、前記固有信号は前記帯域幅要求ヘッダにより構成される、付記１に記載の帯域幅要求方法。
（付記１０）  前記固有信号は、前記帯域幅要求ヘッダに含まれる接続識別子を含む、付記９に記載の帯域幅要求方法。
（付記１１）  中継局とワイヤレス通信する少なくとも１つのユーザ端末を含むワイヤレス通信システムであって、
前記ユーザ端末が前記中継局とシングルホップ通信、または上位局の監督下でマルチホップ通信を行うことができるように、前記中継局は前記システム中の少なくとも１つの上位局と通信しており、
前記システムは、マルチホップ通信またはシングルホップ通信に関する、帯域幅要求を特定するために用いる固有信号を前記ユーザ端末に通知するよう構成され、
前記ユーザ端末は、前記中継局に、前記帯域幅要求に前記固有信号を含める、または含めないことにより、シングルホップ通信またはマルチホップ通信を求める帯域幅要求を発行するように構成され、
前記中継局は、前記固有信号の存否に応じて、前記上位局に帯域幅要求を発行するか否か決定するように構成されるワイヤレス通信システム。
（付記１２）  マルチホップワイヤレス通信システムにおいて使用する移動局であって、
所望の通信を実行するのに必要な帯域幅を、前記システムから取得する帯域幅要求を生成する帯域幅要求手段を有し、
前記帯域幅要求手段は、前記所望の通信がシングルホップ通信かマルチホップ通信かの表示を、前記帯域幅要求に含めるように構成される移動局。
（付記１３）  中継局とワイヤレス通信する少なくとも１つのユーザ端末と、前記中継局が通信する少なくとも１つの上位局とを含むワイヤレス通信システムで使用される中継局であって、
前記中継局は、前記上位局とは独立に前記ユーザ端末とシングルホップ通信を行う、または前記上位局と共にマルチホップ通信を行うように構成され、
前記中継局は、マルチホップ通信とシングルホップ通信の少なくとも一方に関する帯域幅要求に使用される固有信号を認識するように構成され、前記ユーザ端末から受信した帯域幅要求中の前記固有信号の存否に応じて、前記上位局に帯域幅要求を発行するか否か決定するように構成される中継局。
（付記１４）  ユーザ端末が少なくとも１つの中継局を介して基地局とワイヤレス通信するワイヤレス通信システムにおいて使用する基地局であって、前記ユーザ端末はシングルホップ通信またはマルチホップ通信を行うことができ、
前記基地局は、マルチホップ通信およびシングルホップ通信の少なくとも一方に関する帯域幅要求において前記ユーザ端末が使用する固有信号をアロケートし、前記固有信号を少なくとも前記中継局に通知する基地局。
（付記１５）  シングルホップ通信またはマルチホップ通信を行うことができるユーザ端末が少なくとも１つの中継局を介して基地局とワイヤレス通信するワイヤレス通信システムにおいて使用する監督局であって、
前記監督局は、マルチホップ通信およびシングルホップ通信の少なくとも一方に関する帯域幅要求において前記ユーザ端末が使用する固有信号を割り当て、割り当てた固有信号を少なくとも前記基地局に通知する監督局。
【図１ａ】
0005257195.tif 000002
【図１ｂ】
0005257195.tif 000003
【図２ａ】
0005257195.tif 000004
【図２ｂ】
0005257195.tif 000005
【図３】
0005257195.tif 000006
【図４】
0005257195.tif 000007
【図５】
0005257195.tif 000008
【図６】
0005257195.tif 000009
【図７】
0005257195.tif 000010
【図８】
0005257195.tif 000011